【手続補正書】
【提出日】平成15年9月19日(2003.9.19)
【手続補正１】
【補正対象書類名】明細書
【補正対象項目名】００１９
【補正方法】変更
【補正の内容】
【００１９】
センサカバーガラス４２の下方には、第１センサユニット３２が配設されている。
第１センサユニット３２は、ＬＥＤ（Light Emitting Diode）４４と、フォトダイオード４５と、ＬＥＤ４４とフォトダイオード４５との間に配置される遮光板４４ａと、基板５５とから構成されており、ＬＥＤ４４が光学パターン４１に向けて第１検出光Ｌ１を射出、照射し、その反射光をフォトダイオード４５が受光し、受光した第１検出光Ｌ１に基づいて第１検出信号Ａを生成する。
同様に第２センサユニット３３は、ＬＥＤ４６（図７参照）と、フォトダイオード４７（図７参照）と、ＬＥＤ４６とフォトダイオード４７との間に配置される遮光板と、基板とから構成されており、ＬＥＤ４６が光学パターン４１に向けて第２検出光Ｌ２を射出、照射し、その反射光をフォトダイオード４７が受光し、受光した第２検出光Ｌ２に基づいて第２検出信号Ｂを生成する。


【手続補正２】
【補正対象書類名】明細書
【補正対象項目名】００２０
【補正方法】変更
【補正の内容】
【００２０】
このように第１センサユニット３２の生成した第１検出信号Ａ及び第２センサユニット３３が生成した第２検出信号Ｂが後述する情報処理部８１（図６参照）によってカウントされ、これにより回転ベゼル１０２の回転角度及び回転方向を検出している。
第１センサユニット３２の基板５５の下側には、接点バネ５７が設けられており、この接点バネ５７により第１センサユニット３２及び第２センサユニット３３と腕時計型情報処理装置１００のＣＰＵ等が電気的に接続されている。なお、接点バネ５７の代わりにリード線を設けるようにしてもよい。


【手続補正３】
【補正対象書類名】明細書
【補正対象項目名】００２１
【補正方法】変更
【補正の内容】
【００２１】
図２および図３に示すように、本体１０１の上部には、円周上に溝３４が形成されている。一方、図３に示すように回転ベゼル１０２の下面には、下側に突出する突条５６が形成されており、この突条５６が溝３４に摺動可能に嵌合されている。また、回転ベゼル１０２の図中右側の側面と本体１０１との間にはＯリング５８が配置されており、これにより腕時計型情報処理装置１００内部への水や光などの侵入を防止している。


【手続補正４】
【補正対象書類名】明細書
【補正対象項目名】００２６
【補正方法】変更
【補正の内容】
【００２６】
［１．１．４］  機能構成
次に、上述のように検出された回転ベゼル１０２の回転角度および回転方向から文字等の情報を生成して表示部１０４に表示し、情報を格納する機能構成について図６を用いて説明する。
情報処理部８１は、パルス数カウンタ及び正／逆反転検出部を有しており、第１センサユニット３２が生成する第１検出信号Ａおよび第２センサユニット３３が生成する第２検出信号Ｂに基づいて情報データを生成し、ユーザにより確定された情報データのメモリ８４への格納を行うものである。


【手続補正５】
【補正対象書類名】明細書
【補正対象項目名】００３０
【補正方法】変更
【補正の内容】
【００３０】
情報処理部８１は、第２検出信号Ｂを反転し反転第２検出信号Ｂを出力するインバータ５０と、インバータ５０と協働して第１波形整形手段として機能し、第１検出信号Ａと反転第２検出信号Ｂとの差、すなわち、第１検出信号Ａと第２検出信号Ｂとの和を演算し、得られた和信号の波形整形を行って第１波形整形信号ＳSUM（Ａ＋Ｂ相当）を出力する第１コンパレータ５１と、第１検出信号Ａと第２検出信号Ｂとの差を演算し、得られた差信号の波形整形を行って、第２波形整形信号ＳDIF（Ａ−Ｂ相当）を出力する第２波形整形手段として機能する第２コンパレータ５２と、第１波形整形信号の信号レベル遷移タイミング（立ち上がり及び立下がり）に第２波形整形信号のサンプリングを行って第１サンプリングデータＤ１を得るとともに、第２波形整形信号の信号レベル遷移タイミングに第１波形整形信号のサンプリングを行って第２サンプリングデータＤ２を得、第１サンプリングデータＤ１及び第２サンプリングデータＤ２に基づいて光学パターン、ひいては、回転ベゼル１０２の第１センサユニット３２及び第２センサユニット３３に対する相対的な回転方向及び回転角度を算出する信号処理ユニット５３と、を備えて構成されている。


【手続補正６】
【補正対象書類名】明細書
【補正対象項目名】００３２
【補正方法】変更
【補正の内容】
【００３２】
一方、第２センサユニット３３のＬＥＤ４６は、第２検出光Ｌ２を射出し、光学パターン４１に照射する。
これにより、フォトダイオード４７は、光学パターン４１により反射された第２検出光Ｌ２を受光し、第２検出信号Ｂを情報処理部８１の第２コンパレータ５２及びインバータ５０に出力する。
インバータ５０は、第２検出信号Ｂを反転して反転第２検出信号Ｂとして第１コンパレータ５１に出力する。


【手続補正７】
【補正対象書類名】明細書
【補正対象項目名】００３３
【補正方法】変更
【補正の内容】
【００３３】
第１コンパレータ５１は、第１検出信号Ａと反転第２検出信号Ｂとの差、すなわち、第１検出信号Ａと第２検出信号Ｂとの和を演算し、得られた和信号の信号レベルを所定の基準信号レベルと比較することにより波形整形を行って第１波形整形信号ＳSUM（Ａ＋Ｂ相当）を信号処理ユニット５３に出力する。
第１コンパレータ５１の処理と並行して第２コンパレータ５２は、第１検出信号Ａと第２検出信号Ｂとの差を演算し、得られた差信号の信号レベルを所定の基準信号レベルと比較することにより波形整形を行って、第２波形整形信号ＳDIF（Ａ−Ｂ相当）を信号処理ユニット５３に出力する。


【手続補正８】
【補正対象書類名】明細書
【補正対象項目名】００３７
【補正方法】変更
【補正の内容】
【００３７】
この場合において、第１波形整形信号ＳSUMの信号遷移タイミング及び第２波形整形信号ＳDIFの信号遷移タイミングの双方を用いて相互に信号レベルを参照しているので、位置検出精度は、第１検出信号及び第２検出信号の周期の１／８周期となる。従って、一つのセンサユニットを用いる場合と比較して、倍の精度で位置を検出することができる。


【手続補正９】
【補正対象書類名】明細書
【補正対象項目名】００４６
【補正方法】変更
【補正の内容】
【００４６】
［１．４］  腕時計型情報処理装置の情報入力方法および動作
次に、上記の腕時計型情報処理装置１００の情報入力方法および動作について説明する。
まず、使用者は、予め定められた原点位置に回転ベゼル１０２を合わせておく。本実施形態では、原点位置を図１に示す状態、すなわち、「ア」が指示マーク１１０に指示されている状態にする。
この状態で使用者は原点スイッチ１０８を押下し、これにより腕時計型情報処理装置１００は情報入力状態となり、第１センサユニット３２および第２センサユニット３３が回転ベゼル１０２の回転角度および回転方向の検出を開始する。


【手続補正１０】
【補正対象書類名】明細書
【補正対象項目名】００４７
【補正方法】変更
【補正の内容】
【００４７】
そして、使用者は入力したい情報、例えば、文字「カ」を入力したい場合には、図１に示すように、回転ベゼル１０２上に形成された「カ」が指示マーク１１０に指示される位置に回転ベゼルを反時計回りに回転させる。このとき、パルス数検出センサユニット３２は回転ベゼル１０２の回転角度θを検出し、第２センサユニット３３は、回転ベゼル１０２の回転方向を検出する。このように検出された回転角度および回転方向に基づいて入力情報「カ」が情報処理部８１により生成され、表示部１０４に表示される。この状態で確定スイッチ１０５を押下すると文字「カ」が確定し、次の情報の入力待ち状態になる。また、削除スイッチ１０６を押下すると、「カ」が削除され、入力待ち状態となる。また、濁点スイッチ１０７を押下すると、「ガ」が表示部１０４に表示される。


【手続補正１１】
【補正対象書類名】明細書
【補正対象項目名】００５０
【補正方法】変更
【補正の内容】
【００５０】
図１１において、まず、情報処理部８１は、腕時計型情報処理装置１００が使用開始状態となると（ステップＳ２１）、センサユニット３２、３３を駆動状態に移行させる（ステップＳ２２）。
続いて回転ベゼル１０２の非回転継続時間を計測するためのタイマーを動作させる（ステップＳ２３）。
続いて、情報処理部８１は、再び回転ベゼル１０２が回転させられることによりセンサユニット３２、３３から出力される回転信号を検出したか否かを判別する（ステップＳ２４）。
ステップＳ２４の判別において、回転信号を検出した場合には（ステップＳ２４；Ｙｅｓ）、通常の駆動パラメータ基づいて各センサユニット３２、３３を駆動し、ユーザに操作処理を行わせ、データ入力を行う（ステップＳ２８）。
そして、再びステップＳ２３に移行して、タイマーを再動作させ、以下、同様の処理を繰り返す。


【手続補正１２】
【補正対象書類名】明細書
【補正対象項目名】００５１
【補正方法】変更
【補正の内容】
【００５１】
ステップＳ２４の判別において、回転信号を検出していない場合には（ステップＳ２４；Ｎｏ）、タイマーがタイムオーバーになったかいなか、すなわち、回転ベゼル１０２の非回転継続時間が所定時間を経過したか否かを判別する（ステップＳ２５）。
ステップＳ２５の判別において、回転ベゼル１０２の非回転継続時間が所定時間を経過していない場合には（ステップＳ２５；Ｎｏ）、再び処理をステップＳ２４に移行して以下、同様の処理を行う。
ステップＳ２５の判別において、回転ベゼル１０２の非回転継続時間が所定時間を経過した場合には（ステップＳ２５；Ｙｅｓ）、電力消費を低減すべく、駆動率を零とし、非駆動状態に移行させる（ステップＳ２６）。
そしてユーザにその旨を告知すべく、表示部１０４において表示を行う（ステップＳ２７）。


【手続補正１３】
【補正対象書類名】図面
【補正対象項目名】図２
【補正方法】変更
【補正の内容】
【図２】
2001281000.tif 000001
【手続補正１４】
【補正対象書類名】図面
【補正対象項目名】図３
【補正方法】変更
【補正の内容】
【図３】
2001281000.tif 000002
【手続補正１５】
【補正対象書類名】図面
【補正対象項目名】図７
【補正方法】変更
【補正の内容】
【図７】
2001281000.tif 000003
【手続補正１６】
【補正対象書類名】図面
【補正対象項目名】図９
【補正方法】変更
【補正の内容】
【図９】
2001281000.tif 000004